(57)【要約】      （修正有）【課題】簡単に計量容積を変更調節できる計量カップを提供する。【解決手段】カップ本体１と中皿２により構成され、前記カップ本体１は、底部３と、上部に開口部５を有する筒壁４を形成し、前記中皿２は、前記筒壁に対して上下方向移動可能に内嵌される周壁１５と、前記筒壁の内部空間を上下に遮断する底壁１６を備え、該底壁から前記筒壁の開口部に至る内部空間により計量空間を形成する。前記カップ本体の筒壁４と前記中皿の周壁１５の相互間には、中皿が上下方向に移動したとき所定移動間隔毎に係脱自在に係止する係止手段１２等が設けられ、前記カップ本体の底部３には中皿の底壁に向かう操作窓６が開設されている。【選択図】図１
0003179879.tif 000002
【実用新案登録請求の範囲】
【請求項１】
カップ本体と中皿により構成され、
前記カップ本体は、底部と、上部に開口部を有する筒壁を形成し、
前記中皿は、前記筒壁に上下方向移動可能に内嵌される周壁と、前記筒壁の内部空間を上下に遮断する底壁を備え、該底壁から前記筒壁の開口部に至る内部空間により計量空間を形成し、
前記カップ本体の筒壁と前記中皿の周壁の相互間に、中皿が上下方向に移動したとき所定移動間隔毎に係脱自在に係止する係止手段を設け、
前記カップ本体の底部に中皿の底壁に向かう操作窓を開設して成ることを特徴とする計量カップ。
【請求項２】
前記中皿を前記カップ本体の筒壁に内嵌した状態で、筒壁の外部から中皿を透視可能に構成しており、
前記筒壁の外側に目盛り表示部を設けて成ることを特徴とする請求項１に記載の計量カップ。
【請求項３】
前記カップ本体は、上下方向に延びる複数のリブを筒壁の周方向に間隔をあけて該筒壁の内側に設け、
前記中皿は、前記リブに対応して、該リブを挿通させるスリットを形成して成ることを特徴とする請求項１又は２に記載の計量カップ。
【請求項４】
前記中皿は、可撓性プラスチックにより成形され、一対のスリットの間に位置する周壁により係止舌片を形成し、
前記係止手段は、前記係止舌片から筒壁に向けて突設された爪部と、該爪部に臨んで筒壁の上下方向に間隔をあけて形成された凹凸部により構成されており、
前記係止舌片の撓み変形を介して爪部を凹凸部に乗り越えさせることにより中皿を上下方向に移動するように構成して成ることを特徴とする請求項３に記載の計量カップ。
【考案の詳細な説明】
【技術分野】
【０００１】
本考案は、流動性固形物を計量するための計量カップに関し、簡単に計量容積を変更できるものに関する。
【背景技術】
【０００２】
従来、種々の計量カップが提供されており、特許文献１に示されるような計量容積を可変としたものが提案されている。
【先行技術文献】
【特許文献】
【０００３】
【特許文献１】特開２０１１−８０８０７号公報
【考案の概要】
【考案が解決しようとする課題】
【０００４】
特許文献１に示される計量カップは、容器本体の筒壁に対して外筒体を摺動自在に外挿し、外筒体を上下方向に移動自在かつ係止自在に構成することにより、容器本体の底部から外筒体の上部開口までの間に形成される計量容積を可変としている。
【０００５】
しかしながら、流動性固形物を掬い取ることにより計量を行う際には、カップに充填された流動性固形物の充填状態を外部から視認できるように構成することが望ましいが、特許文献１の計量カップは、透視性の配慮がなされていない。特に、特許文献１の場合、仮に、容器本体と外筒体を半透明のプラスチックにより形成したとしても、外筒体を下位に移動した状態では、計量容積を囲む容器本体の筒壁と外筒体により二重壁が構成されるので、透視性が低下するという問題がある。
【０００６】
しかも、特許文献１の計量カップに容積を示す目盛りを設けようとした場合、容器本体の筒壁の内径と、外筒体の内径が異なるため、上下方向に間隔をあけて表示する目盛りの表示方法が煩雑となる。
【０００７】
更に、外筒体を容器本体の筒壁に外挿した状態で上下移動する構成であるため、上下移動を繰り返すうちに、係止手段が摩耗すると、外筒体を所望の位置に係止させることが困難になる。
【課題を解決するための手段】
【０００８】
本考案は、上記課題を解決した計量カップを提供するもので、その手段として構成したところは、カップ本体と中皿により構成され、前記カップ本体は、底部と、上部に開口部を有する筒壁を形成し、前記中皿は、前記筒壁に上下方向移動可能に内嵌される周壁と、前記筒壁の内部空間を上下に遮断する底壁を備え、該底壁から前記筒壁の開口部に至る内部空間により計量空間を形成し、前記カップ本体の筒壁と前記中皿の周壁の相互間に、中皿が上下方向に移動したとき所定移動間隔毎に係脱自在に係止する係止手段を設け、前記カップ本体の底部に中皿の底壁に向かう操作窓を開設して成る点にある。
【０００９】
本考案の好ましい実施形態は、前記中皿を前記カップ本体の筒壁に内嵌した状態で、筒壁の外部から中皿を透視可能に構成しており、前記筒壁の外側に目盛り表示部を設けている。
【００１０】
前記カップ本体は、上下方向に延びる複数のリブを筒壁の周方向に間隔をあけて該筒壁の内側に設け、前記中皿は、前記リブに対応して、該リブを挿通させるスリットを形成することが好ましい。
【００１１】
更に好ましい実施形態において、前記中皿は、可撓性プラスチックにより成形され、一対のスリットの間に位置する周壁により係止舌片を形成し、前記係止手段は、前記係止舌片から筒壁に向けて突設された爪部と、該爪部に臨んで筒壁の上下方向に間隔をあけて形成された凹凸部により構成されており、前記係止舌片の撓み変形を介して爪部を凹凸部に乗り越えさせることにより中皿を上下方向に移動するように構成している。
【考案の効果】
【００１２】
本考案によれば、カップ本体１に中皿２を上下方向に移動自在に内嵌し、中皿２の底壁１６からカップ本体１の開口部５までの内部空間により計量空間Ｍを形成し、カップ本体１の筒壁４と中皿２の周壁１５の相互間に所定移動間隔毎に係止自在な係止手段（凹凸部１２及び爪部１９）を設けているので、簡単な構造で、計量空間Ｍを可変とした計量カップを提供することができる。
【００１３】
そして、中皿２を下向き移動するときは、筒壁４の開口部５から挿入したユーザの指先で中皿２を押下げれば良く、反対に、中皿２を上向き移動するときは、カップ本体１の底部３の操作窓６から挿入したユーザの指先で中皿２を押上げれば良く、計量空間Ｍの変更調整作業を簡単に行うことができる。
【００１４】
この際、請求項２に記載の本考案によれば、透視可能に構成した筒壁４の外部から中皿２を視認することができるので、上下方向に移動した中皿２と目盛り表示部１３の対応関係を確認することにより、所望の容積とされた計量空間Ｍを簡単容易に区成することができる。
【００１５】
しかも、請求項３に記載の本考案によれば、リブ８、１０とスリット１７、２１により中皿２を筒壁４に対して上下移動方向に案内し、中皿２の周方向移動を阻止しているので、前記係止手段（凹凸部１２及び爪部１９）による確実な係止を可能にする。
【００１６】
更に、請求項４に記載の本考案によれば、前記スリット１７により撓み変形可能な舌片１８を形成し、該舌片１８に設けた爪部１９を凹凸部１２に係止する構成であるから、中皿２の上下移動を円滑に行うことができると共に、係止手段の摩耗による係止能力の低下を防止し、耐用性に優れた長期使用を可能にする。
【図面の簡単な説明】
【００１７】
【図１】本考案の１実施形態に関して、カップ本体と中皿の分解状態を示す斜視図である。
【図２】カップ本体と中皿の組付け状態を示す図１のＡ−Ａ線に対応する断面図であり、（Ａ）は全体を示す断面図、（Ｂ）は中皿を上位に移動した状態を示す部分断面図、（Ｃ）は中皿を下位に移動した状態を示す部分断面図である。
【図３】カップ本体と中皿の組付け状態を示す図１のＢ−Ｂ線に対応する断面図であり
【図４】本考案の１実施形態による計量方法を示し、（Ａ）は流動性固形物を掬い取った状態を示す断面図、（Ｂ）は計量状態を示す断面図である。
【考案を実施するための形態】
【００１８】
以下図面に基づいて本考案の好ましい実施形態を詳述する。
【００１９】
図１ないし図３に示すように、本考案の計量カップは、カップ本体１と中皿２により構成されている。
【００２０】
＜カップ本体＞
前記カップ本体１は、透明又は半透明のプラスチックにより成形され、円形の底部３と円筒形の筒壁４により上部に開口部５を有するカップ状に形成され、底部３に操作窓６を開設している。尚、図例の場合、筒壁４の外側に把手７を設けている。
【００２１】
前記筒壁４の内側には、円周方向に間隔をあけて、該筒壁の円筒軸線と平行に上下方向に延びる４本のリブが設けられている。相互に直径方向に対向する一対の係止部区成リブ８ａ、８ａと一対の係止部区成リブ８ｂ、８ｂは、それぞれ当該一対のリブ間に係止用昇降路９ａ、９ｂを形成し、これとは別の直径方向に対向する一対のガイドリブ１０ａ、１０ａと一対のガイドリブ１０ｂ、１０ｂは、それぞれ当該一対のリブ間にガイド用昇降路１１ａ、１１ｂを形成している。
【００２２】
前記係止用昇降路９ａ、９ｂに対応して、筒壁４の内側には凹凸部１２が上下方向に間隔をあけて密に配設され、筒壁４の外側には目盛り表示部１３が上下方向に間隔をあけて密に配設されている。尚、凹凸部１２の間隔と目盛り表示部１３の間隔は、相互に対応する等間隔とすることが好ましく、目盛り表示部１３の多数の目盛りのうち、所定の目盛りに近隣して数値等による容量表示１４を施すことが好ましい。
【００２３】
＜中皿＞
前記中皿２は、可撓性プラスチックにより成形され、前記筒壁４に上下方向移動可能に内嵌される周壁１５と、カップ本体１の内部空間を上下に遮断する底壁１６を備えており、該底壁１６から筒壁４の開口部５に至る内部空間により計量空間Ｍを形成する。図示実施形態の場合、中皿２は、不透明のプラスチックにより形成されている。
【００２４】
前記周壁１５及び底壁１６は、上述した一対の係止部区成リブ８ａ、８ａ及び一対の係止部区成リブ８ｂ、８ｂに対応して、これらの一対のリブをそれぞれ挿通させる一対の係止部区成スリット１７ａ、１７ａ及び一対の係止部区成スリット１７ｂ、１７ｂを形成し、それぞれ当該一対のスリット間に位置する周壁１５の部分により係止舌片１８ａ、１８ｂを形成しており、該係止舌片１８ａ、１８ｂを周壁１５の他の部分よりもやや外側に向けて偏位させ、それぞれ係止舌片１８ａ、１８ｂの外側面に筒壁４に向けて突出する爪部１９ａ、１９ｂを設けている。尚、係止舌片１８ａ、１８ｂの内側には、補強リブ２０ａ、２０ｂが形成され、係止舌片１８ａ、１８ｂの可撓性が所定の撓み強さとなるように設定されている。
【００２５】
更に、前記周壁１５及び底壁１６は、上述した一対のガイドリブ１０ａ、１０ａ及び一対のガイドリブ１０ｂ、１０ｂに対応して、これらの一対のリブをそれぞれ挿通させる一対のガイドスリット２１ａ、２１ａ及び一対のガイドスリット２１ｂ、２１ｂを形成し、それぞれ当該一対のスリット間に位置する周壁１５の部分によりガイド舌片２２ａ、２２ｂを形成している。
【００２６】
＜カップ本体と中皿の組付け＞
中皿２は、カップ本体１の筒壁４の開口部５に臨ませ、係止舌片１８ａ、１８ｂを係止用昇降路９ａ、９ｂに向けると共に、ガイド舌片２２ａ、２２ｂをガイド用昇降路１１ａ、１１ｂに向けた状態で、下向きに押動することにより筒壁４に内嵌される。この際、中皿２は、係止部区成スリット１７ａ、１７ｂに係止部区成リブ８ａ、８ｂを挿通させ、ガイドスリット２１ａ、２１ｂにガイドリブ１０ａ、１０ｂを挿通させながら、カップ本体１の底部３に向けて下向きに移動させられる。移動中、係止舌片１８ａ、１８ｂは、撓み変形されるので、爪部１９ａ、１９ｂが係止用昇降路９ａ、９ｂの凹凸部１２を乗り越えつつ中皿２を下向き移動させる。
【００２７】
カップ本体１の下位に移動した中皿２を上向きに移動するためには、カップ本体１の操作孔からユーザの指を挿入し、中皿２を上向きに押動すると、上記と同様に、係止舌片１８ａ、１８ｂの撓み変形を介して、爪部１９ａ、１９ｂが凹凸部１２を乗り越え、カップ本体１の開口部５に向けて上向きに移動する。
【００２８】
このような中皿２の上下移動は、係止部区成スリット１７ａ、１７ｂに係止部区成リブ８ａ、８ｂが挿通され、ガイドスリット２１ａ、２１ｂにガイドリブ１０ａ、１０ｂが挿通されているので、中皿２と筒壁４の周方向に対する相対的な位置ずれを阻止しながら行われる。
【００２９】
図２（Ａ）及び図３に鎖線で示すように、中皿２の爪部１９ａ、１９ｂを最も下位の凹凸部１２Ｌに係止させた位置（図３にＰ１で示す位置）に定置しとき、中皿２の底壁１６からカップ本体１の開口部５までの空間により形成される計量空間Ｍは最大空間ＭＬとされる。これに対して、図２（Ａ）及び図３に実線で示すように、中皿２の爪部１９ａ、１９ｂを最も上位の凹凸部１２Ｕに係止させた位置（図３にＰ２で示す位置）に定置したとき、中皿２の底壁１６からカップ本体１の開口部５までの空間により形成される計量空間Ｍは最小計量空間ＭＵとされる。
【００３０】
上下移動された中皿２は、筒壁４の外部から透視可能であり、従って、上下方向に移動した中皿２と目盛り表示部１３の対応関係を確認することにより、所望の容積とされた計量空間Ｍを簡単容易に区成することができる。
【００３１】
図２（Ｂ）に示すように最上位に移動させられた中皿２は、図示矢印で示すように、外部から筒壁４を透視して視認可能であり、爪部１９ａ、１９ｂを最上位の凹凸部１２Ｕに係止した状態で、該中皿２の周壁１５の上縁に合致する目盛り表示部１３Ｕを読み取ることにより、最大計量空間ＭＵとされた容積を数値等により確認することが可能である。
【００３２】
同様に、図２（Ｃ）に示すように最下位に移動させられた中皿２は、図示矢印で示すように、外部から筒壁４を透視して視認可能であり、爪部１９ａ、１９ｂを最下位の凹凸部１２Ｌに係止した状態で、該中皿２の周壁１５の上縁に合致する目盛り表示部１３Ｌを読み取ることにより、最小計量空間ＭＬとされた容積を数値等により確認することが可能である。
【００３３】
勿論、中皿２は、最下位Ｐ１と最上位Ｐ２の間において、凹凸部１２の間隔に応じた任意の位置に移動することができ、所望の移動位置において、爪部１９ａ、１９ｂと凹凸部１２を係止する。従って、図示実施形態の場合、爪部１９ａ、１９ｂと凹凸部１２により中皿２を係止保持する係止手段が構成されている。
【００３４】
＜計量方法＞
本考案の計量カップを用いて、例えば、ペットフード或いは米又は豆類等の粒状物や、小麦粉や食塩等の紛状物のような流動性固形物Ｆを計量する場合は、所望の目盛り表示部１３に一致するように中皿２を上下移動させ、爪部１９ａを凹凸部１２に係止した状態で、図４（Ａ）に示すように流動性固形物Ｆを山盛り状態で掬い上げれば良く、これにより、流動性固形物Ｆｇａ中皿２の底壁２から筒壁４の開口部５に至る計量空間Ｍに充填される。そこで、掬い上げの後、開口部５よりも上方の余剰の流動性固形物Ｆを払い落とせば、図４（Ｂ）に示すように、所望の計量空間Ｍに応じた量の流動性固形物Ｆを計量状態で確保することができる。
【符号の説明】
【００３５】
１  カップ本体
２  中皿
３  底壁
４  筒壁
５  開口部
Ｍ  計量空間
６  操作窓
７  把手
８ａ、８ｂ  係止部区成リブ
９ａ、９ｂ  係止用昇降路
１０ａ、１０ｂ  ガイドリブ
１１ａ、１１ｂ  ガイド用昇降路
１２  凹凸部
１３  目盛り表示部
１４  容量表示
１５  周壁
１６  底壁
１７ａ、１７ｂ  係止部区画スリット
１８ａ、１８ｂ  係止舌片
１９ａ、１９ｂ  爪部
２０ａ、２０ｂ  補強リブ
２１ａ、２１ｂ  ガイドスリット
２２ａ、２２ｂ  ガイド舌片
Ｆ  流動性固形物
【図１】
0003179879.tif 000003
【図２】
0003179879.tif 000004
【図３】
0003179879.tif 000005
【図４】
0003179879.tif 000006